(57)【要約】【課題】撮像画像を観察する使用者に対して、モニタの見栄えを気にする必要のなくスミア補正が可能な撮像装置を提供することを目的とする。【解決手段】デジタルカメラ１００は、被写体像を撮像して画像信号を生成するＣＣＤイメージセンサ１２０と、スミア成分を補正するときの遅延時間を調整する遅延時間設定回路１８６と、画像信号に含まれるスミア成分を遅延時間に従って補正するスミア補正回路１８０と、画像信号に基づくモニタ画像を表示する液晶モニタ１２３と、液晶モニタ１２３へのモニタ画像の表示をブラックアウトするコントローラ１３０と、液晶モニタ１２３へのモニタ画像の表示をブラックアウトしたときに、遅延時間を調整するよう遅延時間設定回路１８６を制御するコントローラ１３０とを備える。【選択図】図３
2011146960.tif 000002
【特許請求の範囲】
【請求項１】
被写体像を撮像して画像信号を生成する撮像部と、
スミア成分を補正するときの遅延時間を調整する遅延時間調整部と、
前記画像信号に含まれるスミア成分を前記遅延時間に従って補正するスミア補正部と、
前記画像信号に基づくモニタ画像を表示する表示部と、
前記表示部へのモニタ画像の表示を規制する表示制御部と、
前記表示部へのモニタ画像の表示を規制したときに、遅延時間を調整するよう前記遅延時間調整部を制御する遅延時間制御部と、を備えた、
撮像装置。
【請求項２】
操作部と、
前記操作部が操作されると、前記撮像部に撮像を指示する撮像指示部と、を更に備え、
前記表示制御部は、前記操作部が操作された後に前記表示部へのモニタ画像の表示を規制する、
請求項１に記載の撮像装置。
【請求項３】
前記遅延時間調整部により遅延時間が調整された後に、被写体に対して閃光する閃光部と、
遅延時間が調整された後、閃光していないときに生成された第一の画像信号と、閃光しているときに生成された第二の画像信号とを比較することにより、前記閃光部による閃光を調光する調光部と、を更に備えた、
請求項１または２に記載の撮像装置。
【発明の詳細な説明】
【技術分野】
【０００１】
撮像信号に含まれるスミア成分を補正する撮像装置に関する。
【背景技術】
【０００２】
撮像素子により生成された画像からスミア成分を補正するカメラが普及している。スミアとは、撮影する被写体の中に高輝度の被写体が存在するような場合に、撮像素子の受光面への受光により励起した電荷が他の受光面へと溢れ出て、撮影画像に縦筋状の輝線が発生する現象である。
【０００３】
このスミアを補正するために、例えば特許文献１は、撮像信号から、スミア検出器で検出したスミア検出値をそのまま減算するのではなく、乗算器で該スミア検出値に補正係数（ゲイン）を乗じることによって得られるスミア補正値を減算器で減算するカメラを開示している。また特許文献１は、該補正係数が被写体像の明るさに応じて設定されるカメラを開示している。これにより、撮像信号にスミア成分のみならずノイズが乗っているような場合においても、スミアの過補正が行われることを回避できるとしている。
【先行技術文献】
【特許文献】
【０００４】
【特許文献１】特開2006-157341号公報
【発明の概要】
【発明が解決しようとする課題】
【０００５】
しかしながら、特許文献１は、スミア補正が行われる際の、撮像画像を観察する使用者に対するモニタの見栄えを考慮する記載はない。
【０００６】
本発明は上記課題を鑑みてなされたものであり、撮像画像を観察する使用者に対して、モニタの見栄えを気にする必要のなくスミア補正が可能な撮像装置を提供することを目的とする。
【課題を解決するための手段】
【０００７】
上記課題を解決するために本発明の撮像装置は、被写体像を撮像して画像信号を生成する撮像部と、スミア成分を補正するときの遅延時間を調整する遅延時間調整部と、画像信号に含まれるスミア成分を遅延時間に従って補正するスミア補正部と、画像信号に基づくモニタ画像を表示する表示部と、表示部へのモニタ画像の表示を規制する表示制御部と、記表示部へのモニタ画像の表示を規制したときに、遅延時間を調整するよう遅延時間調整部を制御する遅延時間制御部とを備える。
【０００８】
本発明によれば、撮像装置は、表示部へのモニタ画像の表示が規制されたときに、生成した画像信号に含まれるスミア成分を補正するときの遅延時間を調整する。そして、撮像装置は該遅延時間にて生成した画像信号に含まれるスミア成分を補正する。
【発明の効果】
【０００９】
本発明によれば、撮像画像を観察する使用者に対して、モニタの見栄えを気にする必要のなくスミア補正が可能な撮像装置を提供することができる。
【図面の簡単な説明】
【００１０】
【図１】実施の形態１に係るデジタルカメラ１００の前面構成図
【図２】実施の形態１に係るデジタルカメラ１００の背面構成図
【図３】実施の形態１に係るデジタルカメラ１００の電気的構成図
【図４】実施の形態１に係るＣＣＤイメージセンサ１２０の構成図
【図５】実施の形態１に係るスミア補正回路１８０の構成図
【図６】実施の形態１に係る発光要否判断フローチャート
【図７】実施の形態１に係る調光撮影の動作タイムチャート
【図８】実施の形態１に係るレリーズ釦全押し後の表示画面を説明するための図
【図９】調光前と調光時のスミアレベルを説明するための図
【図１０】他の実施形態に係るレリーズ釦全押し後の表示画面を説明するための図
【発明を実施するための形態】
【００１１】
〔実施の形態１〕
実施の形態１のデジタルカメラ１００は、液晶モニタ１２３がＣＣＤイメージセンサ１２０が撮像した画像の表示から、ブラックアウト表示に切り替わったときにスミア補正のためのゲインを調整する。以下、デジタルカメラ１００の構成および動作を説明する。
【００１２】
〔１．構成〕
以下図を用いてデジタルカメラ１００の構成を説明する。
【００１３】
〔１−１．デジタルカメラ１００の構成〕
図１は、デジタルカメラ１００の前面構成図である。デジタルカメラ１００は前面に光学系２００を納める鏡筒や、フラッシュ１６０を備える。また、デジタルカメラ１００は上面にレリーズ釦２０１やズームレバー２０２、電源２０３などの操作釦を備える。
【００１４】
図２は、デジタルカメラ１００の背面構成図である。デジタルカメラ１００は背面に液晶モニタ１２３や、中央釦２０３や十字釦２０４などの操作釦を備える。
【００１５】
図３は、デジタルカメラ１００の電気的構成図である。デジタルカメラ１００は、光学系１１０を介して形成された被写体像をＣＣＤイメージセンサ１２０で撮像する。ＣＣＤイメージセンサ１２０は撮像した被写体像に基づく画像データを生成する。撮像により生成された画像データは、ＡＦＥ（アナログ・フロント・エンド）１２１や画像処理部１２２において各種処理が施される。生成された画像データはフラッシュメモリ１４２やメモリカード１４０に記録される。フラッシュメモリ１４２やメモリカード１４０に記録された画像データは、使用者による操作部１５０の操作を受け付けて液晶モニタ１２３上に表示される。
【００１６】
以下で、図１から図３に示す各構成の詳細を説明する。
【００１７】
光学系１１０は、フォーカスレンズ１１１やズームレンズ１１２、絞り１１３、シャッタ１１４等により構成される。図示していないが、光学系１１０は、光学式手ぶれ補正レンズＯＩＳ（Optical Image Stabilizer）を含んでいてもよい。なお、光学系１１０を構成する各種レンズは何枚から構成されるものでも、何群から構成されるものでもよい。
【００１８】
フォーカスレンズ１１１は被写体のフォーカス状態の調節に用いられる。ズームレンズ１１２は被写体の画角の調節に用いられる。絞り１１３は、ＣＣＤイメージセンサ１２０に入射する光量の調節に用いられる。シャッタ１１４は、ＣＣＤイメージセンサ１２０に入射する光の露出時間を調節する。フォーカスレンズ１１１、ズームレンズ１１２、絞り１１３、シャッタ１１４は、それぞれに対応したＤＣモータやステッピングモータ等の駆動手段により、コントローラ１３０から通知された制御信号に従って駆動される。
【００１９】
ＣＣＤイメージセンサ１２０は、光学系１１０を通して形成された被写体像を撮像して画像データを生成する。ＣＣＤイメージセンサ１２０は、一定時間ごとに新しいフレームの画像データを生成する。また、ＣＣＤイメージセンサ１２０は電子シャッタ動作により露出光量を調節する。
【００２０】
図４は、ＣＣＤイメージセンサ１２０の詳細な構成を示す。ＣＣＤイメージセンサ１２０は、撮像部１７０に、フォトダイオード１７１と光学的に遮光されたＯＢ領域１７２と、垂直シフトレジスタ１７３とアンプ回路部１７５と水平シフトレジスタ１７４を備える。ＣＣＤイメージセンサ１２０により生成される画像データは、それぞれの画素に対応する画素データより成る。それぞれの画素データは、対応するそれぞれのフォトダイオード１７１で光電変換により生じた電荷によって表される。フォトダイオード１７１で生成された画素データは、垂直シフトレジスタ１７３で選択されたラインに従ってアンプ回路部１７５に読み出される。アンプ回路部１７５は、読み出された画素データに対して雑音抑圧とアンプ処理を施す。その後、画素データは、水平シフトレジスタ１７４により読み出され、ＡＦＥ１２１に出力される。スミアが発生しているとき、ＣＣＤイメージセンサ１２０から出力される画像データは、スミア成分を含んでいる。このスミア成分は、後段のスミア補正回路１８０において画像データから減算補正される。なお、ＣＣＤイメージセンサ１２０から出力される画像データのうち、ＯＢ領域１７２から出力されるデータは、後段のスミア補正回路１８０にておいて、黒レベルの基準データとして用いられる。
【００２１】
ＡＦＥ１２１では、ＣＣＤイメージセンサ１２０から読み出された画像データに対して相関二重サンプリングによる雑音抑圧、アナログゲインコントローラによるＡＤコンバータ１３３の入力レンジ幅への増幅、ＡＤコンバータによるＡＤ変換が施される。その後、ＡＦＥ１２１は画像データを画像処理部１２２に出力する。
【００２２】
画像処理部１２２は、ＡＦＥ１２１から出力された画像データに対して各種の処理を施す。各種処理としては、スミア補正、ガンマ補正、ホワイトバランス補正、ＹＣ変換処理、電子ズーム処理、圧縮処理、伸張処理等が挙げられるが、これらに限定されるものではない。画像処理部１２２は、ハードワイヤードな電子回路で構成してもよいし、プログラムを用いたマイクロコンピュータなどで構成してもよい。またコントローラ１３０などとともに１つの半導体チップで構成してもよい。
【００２３】
画像処理部１２２は、スミア補正回路１８０を備える。スミア補正回路１８０は、ＡＦＥ１２１から出力された画像データに対してスミア補正処理を施す。図５は、スミア補正回路１８０の構成を示す。スミア補正回路１８０は、入力端子１８１、スミア検出回路１８２、スミア補正ゲイン回路１８３、スミア減算回路１８４、出力端子１８５より構成される。入力端子１８１は、ＡＦＥ１２１から出力された画像データを入力し、スミア減算回路１８４と、スミア検出回路１８２のそれぞれに供給する。
【００２４】
スミア検出回路１８２は、ＣＣＤイメージセンサ１２０による撮像期間に生成されたスミア成分を含む画像データから、ＯＢ領域１７２から出力されたデータを、ＣＣＤイメージセンサ１２０の垂直ブランキング期間に同期して検出する。スミア検出回路１８２によりスミアを検出する際、コントローラ１３０は、ＣＣＤイメージセンサ１２０のＯＢ領域１７２からの出力信号を一定時間積算した信号に対し、スミア補正係数（ゲイン）を乗じてスミア補正値を得ている。従って、スミア補正値と、減算対象とする画像データに含まれるＯＢ領域からの出力信号とには一定時間の遅延が存在する。
【００２５】
スミア検出回路１８２は、遅延時間設定回路１８６から取得した遅延時間に基づいて、ＯＢ領域１７２から出力されたデータを積算する。遅延時間設定回路１８６は、コントローラ１３０からの制御信号に従って、遅延時間を設定する。
【００２６】
スミア補正ゲイン回路１８３は、スミア検出回路１８２によって積算されたデータに対して、スミア補正係数（ゲイン）を乗じる。スミア補正係数は、被写体の輝度情報などに基づいて算出される。
【００２７】
スミア減算回路１８４は、入力端子１８１から入力された画像データから、スミア補正ゲイン回路１８３によってスミア補正係数が乗じられたデータを減算する。以上により、スミア補正回路１８０は、画像データのスミア補正を行う。スミア補正が行われた画像データは、出力端子１８５から出力され、画像処理部１２２の他の画像処理回路へと供給される。
【００２８】
ここで、スミア検出回路１８２による積算時間の変化による出力データの変化について説明する。積算する遅延時間が長くなると、ＯＢ領域１７２から出力されるデータに含まれるランダムノイズが平均化される。そのため、スミア減算回路１８４にて減算する際に、ランダムノイズの影響が低くなる。一方、積算する遅延時間が短くなると、ＯＢ領域１７２から出力されるデータに含まれるランダムノイズが充分に平均化なされない。そのため、スミア減算回路１８４にて減算する際にランダムノイズの影響が大きくなる。従って、使用者が液晶モニタ１２３にてスルー画像を観察する際、画像の見栄えが悪くなる。
【００２９】
液晶モニタ１２３は、デジタルカメラ１００の背面に備わる。液晶モニタ１２３は、画像処理部１２２にて処理された画像データに基づく画像を表示する。液晶モニタ１２３が表示する画像には、スルー画像や記録画像がある。スルー画像は、ＣＣＤイメージセンサ１２０により一定時間ごとに生成される新しいフレームの画像を連続して表示する画像である。使用者は、液晶モニタ１２３に表示されるスルー画像を参照することにより、被写体の構図を確認しながら撮影できる。記録画像は、メモリカード１４０やフラッシュメモリ１４２に記録する画像である。液晶モニタ１２３は、使用者の操作に応じて、すでに記録した画像データに基づく画像を表示する。また、液晶モニタ１２３は、画像の他、デジタルカメラ１００の設定条件等を表示可能である。
【００３０】
コントローラ１３０は、デジタルカメラ１００全体の動作を統括制御する。コントローラ１３０は、プログラム等の情報を格納するＲＯＭや、プログラム等の情報を処理するＣＰＵなどにより構成される。ＲＯＭは、オートフォーカス制御（ＡＦ制御）や自動露出制御（ＡＥ制御）、フラッシュ１６０の発光制御に関するプログラムの他、デジタルカメラ１００全体の動作を統括制御するためのプログラムを格納している。
【００３１】
コントローラ１３０は、ＡＦ制御を実行する。まず、コントローラ１３０は、画像処理部１２２から画像データの特定の被写体領域におけるコントラスト値を取得する。コントローラ１３０は、連続して取得されるコントラスト値から、特定の被写体領域のフォーカス状態を判断して、該被写体領域に合焦するようにフォーカスレンズ１１１を駆動させる。コントローラ１３０がＡＦ制御を実行するタイミングは、使用者によるレリーズ釦２０１の半押し操作を受け付けたときでもよいし、被写体の撮影モード中は常にＡＦ制御を実行していてもよい。
【００３２】
コントローラ１３０は、ＡＥ制御を実行する。まず、コントローラ１３０は、画像処理部１２２において、スルー画像用の画像データの特定の被写体領域における輝度情報を取得する。コントローラ１３０は、ＣＣＤイメージセンサ１２０が出力する画像データから取得される輝度情報から、被写体の適正露出を得るため露出値を算出する。コントローラ１３０は、算出された露出値と所定のプログラム線図に従って、絞り値とシャッタスピードを決定する。コントローラ１３０は、画像データから取得される輝度情報を毎フレーム監視しておりＡＥ制御を常時実行する。撮影する際の露出値は、使用者によるレリーズ釦１１０の半押し操作を受け付けて固定しても、全押し操作を受け付けて固定してもよい。
【００３３】
コントローラ１３０は、ハードワイヤードな電子回路で構成してもよいし、マイクロコンピュータなどで構成してもよい。また、画像処理部１２２などと共に1つの半導体チップで構成してもよい。また、ＲＯＭはコントローラ１３０の内部構成である必要はなく、コントローラ１３０の外部に備わったものでもよい。
【００３４】
バッファメモリ１２４は、画像処理部１２２やコントローラ１３０のワークメモリとして機能する記憶手段である。バッファメモリ１２４はＤＲＡＭ（Dynamic Random Access Memory）などで実現できる。
【００３５】
フラッシュメモリ１４２は、画像データ等を記録するための内部メモリとして機能する。
【００３６】
カードスロット１４１は、メモリカード１４０を着脱可能な接続手段である。カードスロット１４１は、メモリカード１４０を電気的及び機械的に接続可能である。また、カードスロット１４１は、メモリカード１２０を制御する機能を備えてもよい。
【００３７】
メモリカード１４０は、内部にフラッシュメモリ等の記録部を備えた外部メモリである。メモリカード１４０は、画像処理部１２２で処理される画像データなどのデータを記録可能である。本実施例では、外部メモリの一例としてメモリカード１４０を示すが、本発明はこれには限らない。例えば、光ディスク等の記憶媒体を外部メモリとしてもよい。
【００３８】
コントローラ１３０は、画像処理部１２２で処理された画像データをフラッシュメモリ１４２あるいはメモリカード１４０に記録する。
【００３９】
操作部１５０は、デジタルカメラ１００の外装に備わっている操作釦や操作ダイヤルの総称であり、使用者による操作を受け付ける。例えば図１や図２に示したレリーズ釦２０１や、ズームレバー２０２、電源釦２０３、中央釦２０４、十字釦２０５などがこれにあたる。操作部１５０は使用者による操作を受け付けると、コントローラ１３０に種々の動作指示信号を通知する。
【００４０】
レリーズ釦２０１は、半押し状態と全押し状態の二段階押下式釦である。レリーズ釦２０１が使用者により半押しされると、コントローラ１３０は、ＡＦ（Auto Focus）制御や、ＡＥ（Auto Exposure）制御を実行し撮影条件を決定する。続いて、レリーズ釦２０１が、使用者により全押しされると、コントローラ１３０は、全押しのタイミングに撮像された画像データをメモリカード１４０に記録する。
【００４１】
ズームレバー２０２は画角調整についての広角端と望遠端を有する中央位置自己復帰式のレバーである。ズームレバー２０２は、使用者により操作されるとコントローラ１３０にズームレンズ１１２を駆動するための動作指示信号を通知する。すわなち、ズームレバー２０２が広角端に操作されると、コントローラ１３０は、被写体を広角で捉えられるようにズームレンズ１１２を駆動する。同様に、ズームレバー２０１が望遠端に操作されると、コントローラ１３０は、被写体を望遠で捉えられるようにズームレンズ１１２を駆動する。
【００４２】
電源釦２０３は、デジタルカメラ１００を構成する各部への電力供給をＯＮ/ＯＦＦするための押下式釦である。電源ＯＦＦ時に電源釦２０３が使用者により押下されると、コントローラ１３０はデジタルカメラ１００を構成する各部に電力を供給し、起動させる。また、電源ＯＮ時に電源釦２０３が使用者により押下されると、コントローラ１３０は各部への電力供給を停止する。
【００４３】
中央釦２０４は、押下式釦である。液晶モニタ１２３が記録画像もしくはスルー画像を表示しているときに、中央釦２０４が使用者により押下されると、コントローラ１３０は液晶モニタ１２３にメニュー画面を表示する。メニュー画面は、撮影/再生のための各種条件を設定するための画面である。各種条件の設定項目が選択されているときに押下されると、中央釦２０４は決定釦としても機能する。
【００４４】
十字釦２０５は、上下左右方向に設けられた押下式釦である。使用者は、十字釦２０５のいずれかの方向を押下することにより、液晶モニタ１２３に表示される各種条件項目を選択することができる。
【００４５】
フラッシュ１６０は、キセノン管と、コンデンサと、昇圧回路と、発光トリガ回路などから構成される。昇圧回路は、コントローラ１３０からの制御信号に従って、コンデンサに高電圧を印加する。発光トリガ回路は、コントローラ１３０からの制御信号に従って、印加充電されたコンデンサの高電圧を放電させて、キセノン管内のキセノンガスを瞬間的に発光させる。発光トリガ回路は、コンデンサの高電圧を撮影と同期して放電させる。これにより、デジタルカメラ１００は、発光された被写体を撮影することができる。すなわち、フラッシュ１１３が被写体に対して撮像時に瞬間的に発光することによって、被写体の明るさを補った撮影ができる。なお、フラッシュ１６０の発光には、プリ発光と本発光がある。プリ発光は、フラッシュ発光による被写体からの反射光量の度合（以下、反射レベルと称す）に基づいて被写体までの距離を判定し、判定結果に応じて撮影時のフラッシュ１１３の発光量を求めるための、撮影事前の発光である。本発光は、プリ発光により求められた発光量により、撮影のタイミングと同期して実行される発光である。
【００４６】
〔１−２．本発明との対応関係〕
ＣＣＤイメージセンサ１２０は、本発明の撮像部の一例である。遅延時間設定回路１８６は、本発明の遅延時間調整部の一例である。スミア補正回路１８０は、本発明のスミア補正部の一例である。液晶モニタ１２３は、本発明の表示部の一例である。コントローラ１３０は、本発明の表示制御部の一例である。コントローラ１３０は、本発明の遅延時間制御部の一例である。レリーズ釦２０１は、本発明の操作部の一例である。コントローラ１３０は、本発明の撮像指示部の一例である。フラッシュ１６０は、本発明の閃光部の一例である。コントローラ１３０は、本発明の調光部の一例である。デジタルカメラ１００は、本発明の撮像装置の一例である。
【００４７】
〔２．動作〕
以下図を用いてデジタルカメラ１００の動作を説明する。
【００４８】
〔２−１．発光要否の判断〕
まず、デジタルカメラ１００の発光要否判断について説明する。図６は、デジタルカメラ１００の発光要否判断フローチャートである。デジタルカメラ１００は、画像の撮像の際に発光が必要か否かを判断する。
【００４９】
コントローラ１３０は、デジタルカメラ１００が撮影モードにあるとき、使用者によるレリーズ釦２０１の半押し操作の有無を監視している（Ｓ３００）。コントローラ１３０は、使用者によるレリーズ釦２０１の半押し操作を検知すると、撮影している画像中のフォーカス枠に含まれる被写体に合焦するようオートフォーカス制御を実行する（Ｓ３０１）。フォーカス枠は、合焦対象とする被写体を指定するために液晶モニタ１２３上に表示される枠である。使用者は合焦対象としたい被写体にフォーカス枠を入れレリーズ釦２０１を半押し操作すると、その被写体に合焦させることができる。
【００５０】
また、コントローラ１３０は、自動露出制御を常時実行し、ＣＣＤイメージセンサ１２０によって撮像される画像データに基づいて撮影する際の露出値を算出している。コントローラ１３０は、使用者によるレリーズ釦２０１の半押し操作を受け付けたタイミングに応じて算出された露出値を、メモリカード１４０に記録する画像を撮像する際の露出値として固定する（Ｓ３０１）。このとき、コントローラ１３０は、固定した露出値と発光要否の閾値とを比較することにより撮影に発光が必要か否かを判断する（Ｓ３０３）。発光要否の閾値は、フラッシュ１６０により発光させるか否かを判断するための露出値の基準値である。一般に、発光要否の閾値は比較的露出値の低い値に設定される。つまり、発光要否の閾値は、撮影環境が暗いときに発光するように設定される。コントローラ１３０の固定した露出値が、発光要否の閾値よりも高いときは、コントローラ１３０は発光しないと判断する。一方、コントローラ１３０の固定した露出値が、発光要否の閾値よりも低いときは、コントローラ１３０は発光すると判断する。
【００５１】
コントローラ１３０が発光不要と判断した場合、デジタルカメラ１００は、発光しない通常の撮影を実行する（Ｓ３０５）。また、コントローラ１３０が発光必要と判断した場合、デジタルカメラ１００は、後述の発光撮影を実行する（Ｓ３０４）。
【００５２】
〔２−２．発光必要時の制御動作〕
続いて、コントローラ１３０が発光必要と判断した場合の制御動作について図を用いて説明する。
【００５３】
図７は、実施の形態１に係るデジタルカメラ１００の調光撮影動作タイムチャートである。図７のタイムチャートは、動作タイミングと、液晶モニタ１２３のモニタＩＳＯ感度変化、スミア補正の遅延時間変化、液晶モニタ１２３の表示内容の変化を示す。
【００５４】
使用者によるレリーズ釦２０１の全押し操作を受け付けるまで、コントローラ１３０は、液晶モニタ１２３にスルー画像を表示させるように制御する。このとき、液晶モニタ１２３のモニタＩＳＯ感度は、スミアが極力発生しないよう低めの値に設定される。ここで、モニタＩＳＯ感度とは、ＣＣＤイメージセンサ１２０が生成する画像データに対するスルー画像出力のための増幅度である。モニタＩＳＯ感度が上げられると、ＣＣＤイメージセンサ１２０に入射した弱い光により励起された弱い電荷であっても検出されるようになる。これにより、暗い場面でも液晶モニタ１２３に明るく表示されるようになり、使用者が液晶モニタ１２３を観察する視認性が向上するが、より弱い輝度体でもスミアの発生原因となり得る。
【００５５】
使用者によるレリーズ釦２０１の全押し操作を受け付けるまで、コントローラ１３０は、ＯＢ領域１７２から出力されたデータを長時間かけて積算するよう遅延時間設定回路１８６を制御する。これにより、液晶モニタ１２３に表示されるスルー画像にはランダムノイズによる影響が抑えられるが、スミア発生に対する補正の追従性は遅くなる。
【００５６】
使用者によりレリーズ釦２０１の全押し操作を受け付けると、コントローラ１３０は、図６のステップＳ３０１で固定した露出値に従って、撮像動作を開始する（Ｓ４００）。そして、図８に示すように、コントローラ１３０は、液晶モニタ１２３に対して、スルー画像表示を終了し、ブラックアウト表示を開始するように制御する。ブラックアウト表示を開始するとは、液晶モニタ１２３に何も表示していない状態を開始することである。
【００５７】
図６のステップＳ３０４にて、発光撮影すると決定されているため、コントローラ１３０は、記録画像用の撮像動作のためのフラッシュ１６０の発光量を算出するための調光制御を実行する。このとき、コントローラ１３０は、フラッシュ１６０が発光した光が到達できる距離である調光距離を延長するために、モニタＩＳＯ感度が高い値になるよう制御する。また、コントローラ１３０は、ＯＢ領域１７２から出力されたデータを短時間で積算するよう遅延時間設定回路１８６を制御する。特に、高輝度光源のブレなどによるスミアの変化に素早く対応するためにはこの遅延時間を短くする対応が有効である。これにより、スミア発生に対する補正の追従性は速くなるが、液晶モニタ１２３に表示されるべきスルー画像にはランダムノイズによる影響が大きくなる。しかし、液晶モニタ１２３はブラックアウト表示を開始しているため、液晶モニタ１２３を観察する使用者に対するランダムノイズの影響を考慮する必要がない。
【００５８】
続いて、コントローラ１３０は、ＣＣＤイメージセンサ１２０に生成された画像データから、プリ発光前の輝度情報を取得する（Ｓ４０１）。次に、コントローラ１３０は、次の新しい画像データの生成のタイミングに合わせて、プリ発光するようフラッシュ１６０を制御する（Ｓ４０２）。コントローラ１３０は、プリ発光時に生成された画像データから輝度情報を取得する（Ｓ４０３）。そして、コントローラ１３０は、上述のとおり、フラッシュ発光による被写体からの反射光量の度合に基づいて被写体までの距離を判定し、判定結果に応じて撮影時のフラッシュ１１３の発光量を求める。
【００５９】
コントローラ１３０は、プリ発光動作により求められた発光量に従って、本発光するようフラッシュ１６０を制御する（Ｓ４０４）。本発光は、記録用の画像を撮像するタイミングに同期して実行される。コントローラ１３０は、本発光時にＣＣＤイメージセンサ１２０に生成された画像データを記録用画像として処理し、メモリカード１４０あるいはフラッシュメモリ１４２に記録する。
【００６０】
ここで、上述において、使用者によりレリーズ釦２０１が全押しされた後に、スミア発生に対する補正の追従性を速くするために、遅延時間を短くすることについて説明する。コントローラ１３０が、プリ発光前、プリ発光時に生成されたそれぞれの画像データから輝度情報を取得し輝度差を算出するとき、画像データに重畳されたスミア成分の度合（スミアレベル）がそれぞれの画像データで合わない状態が生じ得る。特に、プリ発光による調光距離を延長するためにモニタＩＳＯ感度を上げると、スミアレベルが合わなくなる状態が生じやすくなり、調光精度が低下する原因となる。図９は、調光前と調光時のスミアレベルを説明するための図である。図９（ａ）に示すように、調光前と調光時でスミアレベルが合っているとき、コントローラ１３０は、精度の高い調光輝度差を得ることができる。一方、図９（ｂ）に示すように、調光前と調光時とでスミアレベルが合っていないとき、コントローラ１３０は、精度の高い調光輝度差を得ることができない。例えば、調光前に生成された画像データに重畳されたスミア成分が、調光時に生成された画像データに重畳されたスミア成分よりも多い場合、調光時から調光前の輝度値を減算すると負の輝度差値が得られることになってしまい、調光精度が著しく低下してしまうことになる。調光前と調光時でのスミアレベルを合わせるための対応策として、上述の通り、コントローラ１３０は、ＯＢ領域１７２から出力されたデータを短時間で積算するよう遅延時間設定回路１８６を制御する。これにより、スミア発生に対する補正の追従性は速くなり、調光前および調光時のスミアレベルの不均衡は解消される。そのため、調光精度を確保することが可能となる。
【００６１】
〔１−３．まとめ〕
以上のように、実施の形態１に係るデジタルカメラ１００は、被写体像を撮像して画像データを生成するＣＣＤイメージセンサ１２０と、スミア成分を補正するときの遅延時間を調整する遅延時間設定回路１８６と、画像データに含まれるスミア成分を遅延時間に従って補正するスミア補正回路１８０と、画像データに基づくモニタ画像を表示する液晶モニタ１２３と、液晶モニタ１２３へのモニタ画像の表示をブラックアウトするコントローラ１３０と、液晶モニタ１２３へのモニタ画像の表示をブラックアウトしたときに、遅延時間を調整するよう遅延時間設定回路１８６を制御するコントローラ１３０とを備える。すなわち、撮像装置は、表示部へのモニタ画像の表示が規制されたときに、生成した画像データに含まれるスミア成分を補正するときの遅延時間を調整する。そして、撮像装置は該遅延時間にて生成した画像データに含まれるスミア成分を補正する。これにより、撮像画像を観察する使用者に対して、モニタの見栄えを気にする必要のなくスミア補正が可能となる。
【００６２】
また、実施の形態１に係るデジタルカメラ１００は、レリーズ釦２０１と、レリーズ釦２０１が操作されると、ＣＣＤイメージセンサ１２０に撮像を指示するコントローラ１３０とを更に備え、コントローラ１３０は、レリーズ釦２０１が操作された後に液晶モニタ１２３へのモニタ画像の表示をブラックアウトする。これにより、使用者は、レリーズ釦２０１の全押しにより撮像を決定する前までは、モニタ画像が表示されているため、モニタ画像を観察しながら被写体の画角などの調整が可能である。また、使用者は、レリーズ釦２０１の全押しにより撮像を決定した後においては、被写体の画角などの調整が不要であるため、モニタ画像の表示をブラックアウトしても不都合はない。
【００６３】
また、実施の形態１に係るデジタルカメラ１００は、遅延時間設定回路１８６により遅延時間が調整された後に、被写体に対して閃光するフラッシュ１６０と、遅延時間が調整された後、閃光していないときに生成された画像データと、閃光しているときに生成された画像データとを比較することにより、フラッシュ１６０による閃光を調光するコントローラ１３０と、を更に備える。これにより、デジタルカメラ１００は、遅延時間が調整された後の画像データ同士を比較することが可能になるため、調光精度を向上させることが可能となる。
【００６４】
〔２．他の実施の形態〕
上記実施の形態において、使用者によるレリーズ釦２０１の全押し操作を受け付けた後、コントローラ１３０は、液晶モニタ１２３にブラックアウト表示を開始するように制御したが、本発明はこれに限定されない。すなわち、図１０に示すように、コントローラ１３０は、使用者によるレリーズ釦２０１の全押し操作を受け付けた後、液晶モニタ１２３に撮影中の旨を表示してもよい。要するに、使用者によりレリーズ釦２０１の全押し操作を受け付けた後に、液晶モニタ１２３へのスルー画像（モニタ画像）の表示を規制する制御であればよい。
【００６５】
以上のように、本発明によれば、撮像画像を観察する使用者に対して、モニタの見栄えを気にする必要のなくスミア補正が可能な撮像装置を提供することができる。
【産業上の利用可能性】
【００６６】
本発明はデジタルカメラ１００への実施に限定されない。すなわち、ムービーカメラやカメラ付き携帯電話など、撮像時にスミア補正を行う撮像装置に本発明は適用可能である。
【符号の説明】
【００６７】
１００    デジタルカメラ
１１０    光学系
１１１    フォーカスレンズ
１１２    ズームレンズ
１１３    絞り
１１４    シャッタ
１２０    ＣＣＤイメージセンサ
１２１    ＡＦＥ（アナログ・フロント・エンド）
１２２    画像処理部
１２３    晶モニタ
１２４    バッファメモリ
１３０    コントローラ
１４０    メモリカード
１４１    カードスロット
１４２    フラッシュメモリ
１５０    操作部
１６０    フラッシュ
１７０    撮像部
１７１    フォトダイオード
１７２    ＯＢ領域
１７３    垂直シフトレジスタ
１７４    水平シフトレジスタ
１７５    アンプ回路
１８０    スミア補正回路
１８２    スミア検出回路
１８３    スミア補正ゲイン回路
１８４    スミア減算回路
１８６    遅延時間設定回路
２０１    レリーズ釦
２０２    ズームレバー
２０３    電源釦
２０４    中央釦
２０５    十字釦
【図１】
2011146960.tif 000003
【図２】
2011146960.tif 000004
【図３】
2011146960.tif 000005
【図４】
2011146960.tif 000006
【図５】
2011146960.tif 000007
【図６】
2011146960.tif 000008
【図７】
2011146960.tif 000009
【図９】
2011146960.tif 000010
【図８】
2011146960.tif 000011
【図１０】
2011146960.tif 000012